【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
シャフトを回転させるモータと、中空管に接続された回転シャフトとを含み、回転シャフトの回転軸と中空管の長さ軸とが実質的に直交し、前記シャフトの前記軸によって定義される平面において前記中空管を回転させ、前記中空管は物体を含み、前記物体は回転軸から最も遠い位置にある開口で前記中空管を出て、前記物体は静止表面上に捕捉され、前記物体は前記静止表面から出て目標物に向かう第２の管に入り、前記目標物は前記加速された物体に衝突される、ことを特徴とする物体の加速方法。
【請求項２】
前記モータは、電動機、炭化水素系モータ、パワーテイクオフデバイスを含む炭化水素による２次的駆動源から選択される、ことを特徴とする請求項１に記載の物体の加速方法。
【請求項３】
前記モータと前記シャフトとの間の動力を伝送する接続は、直接駆動、ギア駆動、液圧から選択される、ことを特徴とする請求項１に記載の物体の加速方法。
【請求項４】
前記中空管には、円筒形、矩形その他従来の閉鎖式、開放式の管形状要素と、金属材料、プラスチック材料、複合材料を含む材料組成とが含まれる、ことを特徴とする請求項１に記載の物体の加速方法。
【請求項５】
回転周波数の範囲は５〜１００ヘルツである、ことを特徴とする請求項１に記載の物体の加速方法。
【請求項６】
前記シャフトの回転のインデックス情報が監視される、ことを特徴とする請求項１に記載の物体の加速方法。
【請求項７】
前記シャフトに対する前記中空管または導管の取り付けは、溶接、接着、鍵を用いた適合、ボルトによる連結、これらの組み合わせから選択される、ことを特徴とする請求項１
に記載の物体の加速方法。
【請求項８】
追加の物体が前記中空管に挿入され、前記追加の物体は前記中空管の出口から出る、ことを特徴とする請求項１に記載の物体の加速方法。
【請求項９】
２つの隣り合う物体が前記中空管に挿入される時間間隔は、前記シャフトの回転と同期している、ことを特徴とする請求項８に記載の物体の加速方法。
【請求項１０】
追加の物体が前記中空管に挿入され、前記追加の物体は前記中空管の出口から出て、前記物体が前記中空管内にある時間は、前記シャフトの回転周期、前記シャフトの前記回転周期の１／２より短く１／３より長い時間、前記シャフトの前記回転周期の１／３より短く１／４より長い時間、前記シャフトの前記回転周期の１／４より短く１／５より長い時間から選択される、ことを特徴とする請求項８に記載の物体の加速方法。
【請求項１１】
前記追加の物体は、前記追加の物体を収容する容器に接続された静止管から中空管に挿入され、質量流量装置が前記静止管に入る追加の物体の相対的な時間間隔を制御し、前記静止管の近位端は前記中空管と接触せず、前記中空管はその長さ軸に沿って開口を有し、前記開口は、前記追加の物体が前記静止管の前記近位端から出た後に追加の物体を受け入れる、ことを特徴とする請求項１０に記載の物体の加速方法。
【請求項１２】
前記中空管の前記開口の位置は、前記シャフトの回転軸に沿った位置、前記シャフトの回転軸からずれた位置から選択される、ことを特徴とする請求項１１に記載の物体の加速方法。
【請求項１３】
前記追加の物体は、前記追加の物体を収容する容器に接続された回転管から中空管に挿入され、質量流量装置が前記回転管に入る追加の物体の相対的な時間間隔を制御し、前記回転管の近位端が前記中空管と接触している、ことを特徴とする請求項１０に記載の物体の加速方法。
【請求項１４】
前記中空管は、直管で、内部表面が平滑であり、長さが４０〜２００ｃｍであり、フィンガ取り付けられている、ことを特徴とする請求項４に記載の物体の加速方法。
【請求項１５】
前記中空管は、屈曲管で、内部表面が平滑であり、長さが４０〜２５０ｃｍである、ことを特徴とする請求項４に記載の物体の加速方法。
【請求項１６】
前記物体は、固体、流体、ガス、プラズマの状態である、ことを特徴とする請求項１に記載の物体の加速方法。
【請求項１７】
前記物体は、氷、砂、石、金属、セラミック、プラスチック、前記状態の１つ以上の状態である物体の複合物である、ことを特徴とする請求項１６に記載の物体の加速方法。
【請求項１８】
前記流体は、容器に合わせた形状を有し、圧力によらずに一定の体積を有する、略非圧縮性を有する流体である、ことを特徴とする請求項１６に記載の物体の加速方法。
【請求項１９】
前記物体は、１ｇ／ｃｍ３より大きい密度を有し、粗面の端部を有する、ことを特徴とする請求項１６に記載の物体の加速方法。
【請求項２０】
前記物体の速度はマッハ１未満である、ことを特徴とする請求項１に記載の物体の加速方法。
【請求項２１】
前記静止表面は、回転管が通過する範囲の半径よりもわずかに大きい半径を有する直円柱の壁の内面、前記回転管が通過する範囲の半径よりもわずかに大きい半径を有する部分的円錐（ｐａｒｔｉａｌ  ｔｏｒｏｉｄ）の円錐部分、前記回転管が通過する範囲の半径よりもわずかに大きい曲率半径を有する曲面から選択される、ことを特徴とする請求項１に記載の物体の加速方法。
【請求項２２】
前記静止表面の前記内面は、前記静止表面から前記第２の管にかけて出口に向かう軌道から前記物体が離れないようにする輪郭を有し、前記静止表面の前記輪郭は、前記回転管が通過する体積による動的干渉を受けない、ことを特徴とする請求項２１に記載の物体の加速方法。
【請求項２３】
前記静止表面の摩擦係数は、硬化鋼と同じである、ことを特徴とする請求項２１に記載の物体の加速方法。
【請求項２４】
シャフトを回転させるモータと、中空管に接続された回転シャフトとを含み、回転シャフトの回転軸と中空管の長さ軸とが実質的に直交し、前記シャフトの前記軸によって定義される平面において前記中空管を回転させ、前記中空管は物体を含み、前記物体は回転軸から最も遠い位置にある開口で前記中空管を出て、前記物体は目標物に向かう第２の管内に捕捉され、前記目標物は前記加速された物体に衝突される、ことを特徴とする物体の加速方法。
【請求項２５】
シャフトを回転させるモータと、中空管に接続された回転シャフトとを含み、回転シャフトの回転軸と中空管の長さ軸とが実質的に直交し、前記シャフトの前記軸によって定義される平面において前記中空管を回転させ、前記中空管は物体を含み、前記物体は回転軸から最も遠い位置にある開口で前記中空管を出て、前記物体は目標物に向かう第２の管内に捕捉され、前記目標物は前記加速された物体に衝突される、ことを特徴とする物体の加速方法。
【手続補正２】
【補正対象書類名】明細書
【補正対象項目名】００２２
【補正方法】変更
【補正の内容】
【００２２】
２つの変更によってデバイス１５０とデバイス１００とを区別する。デバイス１５０はデュアルポートスピン挿入管１５２を有し、デバイス１００は単一ポートスピン挿入管１０２を有する。したがって、デバイス１５０は、スピン管１５１の各端部に１つずつ、２つの出口ポート１５３及び１５７を有する。デュアルポートスピン挿入管１５２への物体（媒体）のゲーティングは、図１に示される構成の２倍の頻度である。スピン挿入管の単一物体型デュアルポート様式が構成され得る、又は単独で加速され、反応が望まれるまで隔離される反応性化学物質などの異なる物体を許容する２つのポートが画定され得る。
デバイス１５０もまた、ホッパー１５６と、駆動シャフト１５４と、固定構造１６０と、質量流量計測システム１５５と、モータ、モータ電子機器及び質量流量計測システム電子機器１７０と、を有する。これら機能的要素は、デバイス１００の同じ名称の要素に類似している又は同一である又は等しい。
【手続補正３】
【補正対象書類名】明細書
【補正対象項目名】００４２
【補正方法】変更
【補正の内容】
【００４２】
１インチ〜１６インチの範囲の内径を有する中空管又は他の案内構造を回転させる。管又は案内構造の内径よりも小さな物体（ｍａｓｓ）が中空スピン管又は他の案内構造に挿入され、その結果、物体は回転軸から離れていく（古典的半径方向加速）。回転軸に近い中空管又は他の案内構造の開口部が、物体挿入箇所として選択される。開口部は物体の寸法よりも大きい。中空管又は他の案内構造の内部にある間、物体は、中空管又は他の案内構造の長さに沿って、古典的半径方向加速及び摩擦力に曝される。回転軸から最も遠くの、中空スピン管又は他の案内構造の端部は、物体の出口ポートである。物体は中空スピン管又は他の案内構造を接線方向に出る。物体の軌道を拘束し、物体を案内管によって衝撃へと導くために、静止構造即ち固定構造が使用される。案内管の内径は物体の寸法よりも大きい。静止管はスピン管よりも大きく、２インチ〜３２インチの範囲である。静止構造は、管状でなくとも、物体が加速構造を離れた後における物体の接線方向の飛翔を画定するベクトルに垂直な軸内に、２インチ〜３２インチの範囲の、加速物体の最大寸法よりも名目上大きい加速物体の受け入れ表面を有する。